(57)【要約】  本技術の一形態に係る情報処理装置は、検出部と、第１の取得部と、第２の取得部と、生成部とを具備する。前記検出部は、再生装置を検出する。前記第１の取得部は、前記検出された再生装置の再生モードを取得する。前記第２の取得部は、過去に選択された再生装置及び当該再生装置の過去の選択時の再生モードを含む履歴情報を取得する。前記生成部は、前記検出された再生装置及び当該再生装置の検出時の再生モードを含む検出情報、及び前記取得された履歴情報を含む操作用画像を生成する。
2018096849.tif 000002
【特許請求の範囲】
【請求項１】
再生装置を検出する検出部と、
前記検出された再生装置の再生モードを取得する第１の取得部と、
過去に選択された再生装置及び当該再生装置の過去の選択時の再生モードを含む履歴情報を取得する第２の取得部と、
前記検出された再生装置及び当該再生装置の検出時の再生モードを含む検出情報、及び前記取得された履歴情報を含む操作用画像を生成する生成部と
を具備する情報処理装置。
【請求項２】
請求項１に記載の情報処理装置であって、
前記再生モードは、シングル再生モード、及びグループ再生モードを含む
情報処理装置。
【請求項３】
請求項２に記載の情報処理装置であって、
前記履歴情報及び検出情報の各々は、前記再生モードが前記シングル再生モードである前記再生装置の情報として、前記再生装置の名称、及び前記シングル再生モードである旨を表すアイコンの少なくとも１つを含む
情報処理装置。
【請求項４】
請求項２に記載の情報処理装置であって、
前記履歴情報及び検出情報の各々は、前記再生モードが前記グループ再生モードである前記再生装置の情報として、前記再生装置を含むグループの名称、及び前記グループ再生モードである旨を表すアイコンの少なくとも１つを含む
情報処理装置。
【請求項５】
請求項２に記載の情報処理装置であって、
前記グループ再生モードは、同期再生モード、サラウンド再生モード、及びステレオ再生モードを含む
情報処理装置。
【請求項６】
請求項１に記載の情報処理装置であって、
前記操作用画像は、前記履歴情報が表示される第１の表示領域と、前記検出情報のうち前記履歴情報に含まれない新規検出情報が表示される第２の表示領域とを含む
情報処理装置。
【請求項７】
請求項６に記載の情報処理装置であって、
前記操作用画像は、リストであり、
前記第１の表示領域は、前記第２の表示領域よりも上に設定される
情報処理装置。
【請求項８】
請求項６に記載の情報処理装置であって、
前記検出部は、ユーザからの接続の指示を必要とする未接続の再生装置を検出し、
前記リストは、前記未接続の再生装置の情報が表示される第３の表示領域を含む
情報処理装置。
【請求項９】
請求項８に記載の情報処理装置であって、
前記検出部は、近距離無線通信を介して前記未接続の再生装置を検出する
情報処理装置。
【請求項１０】
請求項８に記載の情報処理装置であって、
前記第３の表示領域は、前記第１の表示領域よりも上に設定される
情報処理装置。
【請求項１１】
請求項１に記載の情報処理装置であって、
前記生成部は、前記履歴情報に含まれる前記再生装置及びその再生モードの動作状態を判定し、当該判定結果に応じて表示態様が異なるように前記操作用画像を生成する
情報処理装置。
【請求項１２】
請求項１に記載の情報処理装置であって、さらに、
前記操作用画像に含まれる前記再生装置及びその再生モードによるコンテンツの再生を指示する再生制御部を具備する
情報処理装置。
【請求項１３】
請求項１に記載の情報処理装置であって、
前記第２の取得部は、前記検出された再生装置から前記履歴情報を取得する
情報処理装置。
【請求項１４】
再生装置を検出し、
前記検出された再生装置の再生モードを取得し、
過去に選択された再生装置及び当該再生装置の過去の選択時の再生モードを含む履歴情報を取得し、
前記検出された再生装置及び当該再生装置の検出時の再生モードを含む検出情報、及び前記取得された履歴情報を含む操作用画像を生成する
ことをコンピュータシステムが実行する情報処理方法。
【請求項１５】
再生装置を検出するステップと、
前記検出された再生装置の再生モードを取得するステップと、
過去に選択された再生装置及び当該再生装置の過去の選択時の再生モードを含む履歴情報を取得するステップと、
前記検出された再生装置及び当該再生装置の検出時の再生モードを含む検出情報、及び前記取得された履歴情報を含む操作用画像を生成するステップと
をコンピュータシステムに実行させるプログラム。
【発明の詳細な説明】
【技術分野】
【０００１】
本技術は、再生装置の制御に適用可能な情報処理装置、情報処理方法、及びプログラムに関する。
【背景技術】
【０００２】
従来、家庭内にホームネットワークを構築し、そこに接続された再生装置により、音楽や映像等のコンテンツを再生するシステムが知られている。例えば特許文献１には、ネットワークに接続された複数の再生装置によりグループを構成し、同一のコンテンツを同期再生させるマルチルーム再生の制御方法について記載されている（特許文献１の明細書段落［００４３］〜［００４６］図８等）。【０００３】
また特許文献２には、館内に配置された複合機をスピーカ代わりに利用し、従来の館内放送のような機能を実現する放送システムについて記載されている。この放送システムでは、複数の複合機により構成されるグループの情報が格納されたグループ情報テーブルが作成され、利用者の端末に表示される。利用者は、表示されたグループ情報テーブルの中から、音声を出力させたいグループを選択する。また新たなグループを作成して、グループ情報テーブルに登録することも可能である（特許文献２の明細書段落［００６８］〜［００８５］［０１１６］〜［０１１８］図６、１４等）。
【先行技術文献】
【特許文献】
【０００４】
【特許文献１】国際公開第２０１６／１０３５４６号
【特許文献２】特開２０１２−１１４５７７号公報
【発明の概要】
【発明が解決しようとする課題】
【０００５】
今後もネットワーク等を介して複数の再生装置を制御しコンテンツを再生する技術は多く利用されると考えられ、ユーザの操作性を向上可能な技術が求められている。【０００６】
以上のような事情に鑑み、本技術の目的は、再生装置を操作性よく制御することが可能となる情報処理装置、情報処理方法、及びプログラムを提供することにある。
【課題を解決するための手段】
【０００７】
上記目的を達成するため、本技術の一形態に係る情報処理装置は、検出部と、第１の取得部と、第２の取得部と、生成部とを具備する。
前記検出部は、再生装置を検出する。
前記第１の取得部は、前記検出された再生装置の再生モードを取得する。
前記第２の取得部は、過去に選択された再生装置及び当該再生装置の過去の選択時の再生モードを含む履歴情報を取得する。
前記生成部は、前記検出された再生装置及び当該再生装置の検出時の再生モードを含む検出情報、及び前記取得された履歴情報を含む操作用画像を生成する。【０００８】
この情報処理装置では、検出された再生装置及びその再生モードを含む検出情報と、過去に選択された再生装置及びその時の再生モードを含む履歴情報とを含む操作用画像が生成される。これにより例えば表示される履歴情報を用いて過去の再生環境を容易に再現すること等が可能となる。この結果、再生装置を操作性よく制御することが可能となる。【０００９】
前記再生モードは、シングル再生モード、及びグループ再生モードを含んでもよい。
これによりシングル再生モードによるコンテンツの再生や、グループ再生モードによるコンテンツの再生を、操作性よく制御することが可能である。【００１０】
前記履歴情報及び検出情報の各々は、前記再生モードが前記シングル再生モードである前記再生装置の情報として、前記再生装置の名称、及び前記シングル再生モードである旨を表すアイコンの少なくとも１つを含んでもよい。
これにより過去に選択された再生装置や検出された再生装置の再生モードを容易に把握することが可能となる。【００１１】
前記履歴情報及び検出情報の各々は、前記再生モードが前記グループ再生モードである前記再生装置の情報として、前記再生装置を含むグループの名称、及び前記グループ再生モードである旨を表すアイコンの少なくとも１つを含んでもよい。
これにより過去に選択された再生装置や検出された再生装置の再生モードを容易に把握することが可能となる。【００１２】
前記グループ再生モードは、同期再生モード、サラウンド再生モード、及びステレオ再生モードを含んでもよい。
これにより同期再生モード、サラウンド再生モード、及びステレオ再生モードの各々によるコンテンツの再生を、操作性よく制御することが可能となる。【００１３】
前記操作用画像は、前記履歴情報が表示される第１の表示領域と、前記検出情報のうち前記履歴情報に含まれない新規検出情報が表示される第２の表示領域とを含んでもよい。
例えば第１及び第２の表示領域の各々の表示位置等を適宜設定することで、ユーザの操作性を向上させることが可能となる。【００１４】
前記操作用画像は、リストであってもよい。この場合、前記第１の表示領域は、前記第２の表示領域よりも上に設定されてもよい。
これにより過去に選択した再生装置及びその再生モードを再び選択することが容易となり、高い操作性を発揮することが可能となる。【００１５】
前記検出部は、ユーザからの接続の指示を必要とする未接続の再生装置を検出してもよい。この場合、前記リストは、前記未接続の再生装置の情報が表示される第３の表示領域を含んでもよい。
これにより未接続の再生装置を容易に把握することが可能となり、操作性を向上させることが可能となる。【００１６】
前記検出部は、近距離無線通信を介して前記未接続の再生装置を検出してもよい。
これによりユーザの近辺にある未接続の再生装置が検出されるので、接続の指示を入力するか否かの判断等が容易となり、高い操作性が発揮される。【００１７】
前記第３の表示領域は、前記第１の表示領域よりも上に設定されてもよい。
これにより未接続の再生装置を容易に把握することが可能となり、操作性を向上させることが可能となる。【００１８】
前記生成部は、前記履歴情報に含まれる前記再生装置及びその再生モードの動作状態を判定し、当該判定結果に応じて表示態様が異なるように前記操作用画像を生成してもよい。
これにより過去に選択した再生装置及び再生モードが現在も構築されているか否かを容易に判断することが可能となり、高い操作性が発揮される。【００１９】
前記情報処理装置は、さらに、前記操作用画像に含まれる前記再生装置及びその再生モードによるコンテンツの再生を指示する再生制御部を具備してもよい。
これにより例えば過去の再生環境を容易に再現すること等が可能となり、再生装置を操作性よく制御することが可能となる。【００２０】
前記第２の取得部は、前記検出された再生装置から前記履歴情報を取得してもよい。
これにより必要なメモリ容量の低減を図ることが可能となり、また履歴情報を精度よく取得することが可能となる。【００２１】
本技術の一形態に係る情報処理方法は、コンピュータシステムにより実行される情報処理方法であって、再生装置を検出することを含む。
前記検出された再生装置の再生モードが取得される。
過去に選択された再生装置及び当該再生装置の過去の選択時の再生モードを含む履歴情報が取得される。
前記検出された再生装置及び当該再生装置の検出時の再生モードを含む検出情報、及び前記取得された履歴情報を含む操作用画像が生成される。【００２２】
本技術の一形態に係るプログラムは、コンピュータシステムに以下のステップを実行さ
せる。
再生装置を検出するステップ。
前記検出された再生装置の再生モードを取得するステップ。
過去に選択された再生装置及び当該再生装置の過去の選択時の再生モードを含む履歴情報を取得するステップ。
前記検出された再生装置及び当該再生装置の検出時の再生モードを含む検出情報、及び前記取得された履歴情報を含む操作用画像を生成するステップ。
【発明の効果】
【００２３】
以上のように、本技術によれば、再生装置を操作性よく制御することが可能となる。なお、ここに記載された効果は必ずしも限定されるものではなく、本開示中に記載されたいずれかの効果であってもよい。
【図面の簡単な説明】
【００２４】
【図１】一実施形態に係るコンテンツ再生システムの構成例を示す概略図である。
【図２】携帯端末の構成例を示すブロック図である。
【図３】本実施形態に係る再生リストの構成例を示す模式図である。
【図４】携帯端末のタッチパネルに再生リストが表示された状態を示す模式図である。
【図５】再生リストの作成例の概要を示すフローチャートである。
【図６】ホームネットワーク上の再生装置の検出から再生リストの作成までの処理例を示すフローチャートである。
【図７】グループ再生モードの再生環境情報が選択された場合の処理例を示すフローチャートである。
【図８】待機画面の構成例を示す模式図である。
【図９】ダッシュボード画面の構成例を示す模式図である。
【図１０】エラー画面の構成例を示す模式図である。
【図１１】グループ情報表示ダイアログの一例を示す模式図である。
【図１２】履歴情報の登録処理例を示すフローチャートである。
【発明を実施するための形態】
【００２５】
以下、本技術に係る実施形態を、図面を参照しながら説明する。
【００２６】
［コンテンツ再生システム］
図１は、本技術の一実施形態に係るコンテンツ再生システムの構成例を示す概略図である。コンテンツ再生システム１００は、家庭内に構築されたホームネットワーク１と、これに接続された複数の再生装置１０、コンテンツを提供するサーバ装置２０、及び携帯端末３０を有する。携帯端末３０は、本技術に係る情報処理装置の一実施形態に相当する。
【００２７】
複数の再生装置１０、サーバ装置２０、及び携帯端末３０は、アクセスポイント５を介して、ＷｉＦｉ等の無線ＬＡＮ通信によりホームネットワーク１に接続される。ホームネットワーク１としては、例えばＤＬＮＡ（登録商標）（Digital Living Network Alliance）規格に準拠したネットワークが用いられる。
【００２８】
例えば複数の再生装置１０はＤＭＲ（Digital Media Renderer）として機能し、サーバ装置２０はＤＭＳ（Digital Media Server）として機能する。また携帯端末３０は、ＤＭＣ（Digital Media Controller）として機能する。なお他のプロトコルを利用したネットワークが構築される場合にも、本技術は適用可能である。
【００２９】
図１に示すように、複数の再生装置１０は、リビングルーム、ホビールーム、及びベッドルームの各部屋に配置される。携帯端末３０は、例えばＵＰｎＰ（Universal Plug and Play）の制御メッセージ等を用いて、各再生装置１０に、サーバ装置２０からコンテンツを取得して再生する指示を送信する。
【００３０】
従ってユーザは、携帯端末３０を操作することで、各部屋に配置された再生装置１０の再生動作を制御することができる。なおBluetooth（登録商標）等の近距離無線通信を利用して、再生装置１０にコンテンツを再生させることも可能である。
【００３１】
また図示しないホームゲートウェイを介して、ホームネットワーク１とグローバルネットワークとが接続されているとする。この場合、携帯端末３０を操作することで、グローバルネットワーク上（クラウド上）に存在するコンテンツサーバ内のコンテンツを、各再生装置１０に再生させることも可能である。
【００３２】
また携帯端末３０内に記憶されているコンテンツを、再生装置１０に転送又はストリーミング配信して再生させることや、再生装置１０内のローカルコンテンツを再生させることも可能である。再生装置１０内のローカルコンテンツとは、例えばＣＤやＵＳＢを介して読み込んだコンテンツや、ラジオ等から取り込んだコンテンツである。
【００３３】
本実施形態では、複数の再生装置１０により音楽コンテンツが再生される。しかしながら、本技術は、音楽コンテンツの再生に限定されず、映像等の種々のコンテンツの再生に適用可能である。また再生装置１０やサーバ装置２０等の数も限定されない。
【００３４】
再生装置１０としては、例えばテレビジョン装置、ＰＣ（Personal computer）、オーディオビデオレシーバ、ビデオモニタ、又は家庭用ゲーム機器等の、種々のＣＥ（Consumer Electronics）機器が用いられる。また車に搭載される車載オーディオや、ユーザに装着されるヘッドフォン等も、本技術に係る再生装置に含まれる。
【００３５】
サーバ装置２０としては、例えばＰＣ又はネットワーク対応のＨＤＤ（ＮＡＳ）等が用いられる。携帯端末３０としては、典型的にはスマートフォンが用いられるが、これに限定されずタブレット端末等の種々のＰＤＡ（Personal Digital Assistant）が用いられてもよい。その他、種々のコンピュータが、本技術に係る情報処理装置として使用可能である。
【００３６】
なお再生装置１０として、ＤＭＰ（Digital Media Player）として動作可能なものが用いられてもよい。この場合、当該再生装置１０が有するＵＩ（User Interface）を操作することで、コンテンツの再生を制御することができる。またこの場合、再生装置１０が本技術に係る情報処理装置の一実施形態として機能し得る。
【００３７】
［携帯端末の構成］
図２は、携帯端末３０の構成例を示すブロック図である。携帯端末３０は、ＣＰＵ（Central Processing Unit）３１、ＲＯＭ（Read Only Memory）３２、ＲＡＭ（Random Access Memory）３３、スピーカ３４、ディスプレイ３５、及びタッチパネル３６を有する。また携帯端末３０は、赤外線（ＩＲ）通信部３７、外部Ｉ／Ｆ（インタフェース）３８、キー／スイッチ３９、及び撮像部４０を有する。さらに携帯端末３０は、ネットワークモジュール４１、及びBluetoothモジュール４２を有する。
【００３８】
ＣＰＵ３１は、携帯端末３０の各ブロックと信号をやり取りして各種演算を行い、再生装置１０へのコンテンツの再生指示や、ディスプレイ３５（タッチパネル３６）へのＧＵＩ（Graphical User Interface）の表示等、携帯端末３０で実行される種々の処理を統括的に制御する。
【００３９】
ＲＯＭ３２は、種々の画像データやメタデータ等のＣＰＵ３１が処理する各種のデータや、アプリケーション等の各種のプログラムを記憶する。ＲＡＭ３３は、ＣＰＵ３１の作業領域として用いられる。アプリケーション等のプログラムが実行される際には、その実行に必要な各種データがＲＡＭ３３へ読み出される。
【００４０】
ＲＯＭ３２に代えて又は追加して、ＨＤＤ（Hard Disk Drive）や、フラッシュメモリ、その他の固体メモリ等の不揮発性メモリが設けられてもよい。そしてこれらの記憶デバイスに、上記した各種のデータやプログラムが記憶されてもよい。本実施形態では、ＲＯＭ３２やＨＤＤ等により、記憶部が構成される。
【００４１】
スピーカ３４は、音楽コンテンツの再生やユーザへの音声ガイド等を出力する。ディスプレイ３５は、例えば液晶やＥＬ（Electro-Luminescence）等を用いた表示デバイスであり、種々のＧＵＩ等を表示する。図２に示すように、ディスプレイ３５はタッチパネル３６と一体的に構成される。
【００４２】
ＩＲ通信部３７は、外部機器とＩＲ通信を実行するためのモジュールである。外部Ｉ／Ｆ３８は、例えばＵＳＢやＨＤＭＩ（登録商標）（High-Definition Multimedia Interface）等の規格に基づいて、外部機器と接続するためのインタフェースである。
【００４３】
キー／スイッチ３９は、例えば電源スイッチ、ショートカットキー等、特にタッチパネル３６では入力できないユーザの操作等を受け付ける。撮像部４０は、例えばＣＭＯＳ（Complementary Metal Oxide Semiconductor）やＣＣＤ（Charge Coupled Devices）センサ等を有し被写体のデジタル画像を生成する。
【００４４】
ネットワークモジュール４１は、ホームネットワーク１に接続するためのインタフェースであり、例えばＷｉＦｉ等の無線ＬＡＮモジュールが用いられる。ネットワークモジュール４１が動作することで、再生装置１０やサーバ装置２０との間で無線通信が可能となる。
【００４５】
Bluetoothモジュール４２は、複数の再生装置１０の各々との間で、Bluetooth規格に準拠した近距離無線通信を実行するためのモジュールである。本実施形態では、ＢＬＥ（Bluetooth Low Energy）規格に準拠した通信（ＢＬＥ通信）、及びClassic Bluetooth規格に準拠した近距離無線通信（ＢＴ通信）が実行可能である。例えばホームネットワーク１に接続されない非ネットワーク対応の再生装置１０に対しても、ＢＬＥ通信等の近距離無線通信を介して、その動作を制御することが可能である。
【００４６】
上記のようなハードウェア構成を有する携帯端末３０による情報処理は、ＲＯＭ３２等に記憶されたソフトウェアと、携帯端末３０のハードウェア資源との協働により実現される。例えばＣＰＵ３１がＲＯＭ３２等に記憶された本技術に係るプログラム（アプリケーション）をＲＡＭ３３にロードして実行することにより、本技術に係る情報処理方法が実現される。
【００４７】
図２に示すように、本実施形態では、ＣＰＵ３１が所定のプログラムを実行することにより、機能ブロックである装置検出部４３、再生モード取得部４４、履歴情報取得部４５、リスト生成部４６、及び再生制御部４７が実現される。これらのブロックを実現するために、ＩＣ（集積回路）等の専用のハードウェアが適宜用いられてもよい。
【００４８】
アプリケーション等のプログラムは、例えばグローバルネットワークから携帯端末３０にインストールされる。あるいは、記録媒体を介してプログラムが携帯端末３０にインストールされてもよい。
【００４９】
［コンテンツの再生モード］
本実施形態では、携帯端末３０を介して、各再生装置１０のコンテンツの再生モードを設定することが可能である。本実施形態では、シングル再生モード、及びグループ再生モードのいずれかを設定することが可能である。
【００５０】
シングル再生モードは、単体の再生装置１０により、コンテンツを再生するモードである。携帯端末３０からシングル再生モードが設定された再生装置１０に制御メッセージが送信され、コンテンツの再生に関する種々の動作が制御される。
【００５１】
例えば再生装置１０の電源制御（例えばスタンバイ状態とアクティブ状態との切り替え）、コンテンツの再生音量の制御、再生対象となるコンテンツの切り替え、コンテンツのフェードイン／フェードアウト等の種々の制御が可能である。
【００５２】
ＢＬＥ通信やＢＬ通信を介して、シングル再生モードによるコンテンツの再生を指示することも可能である。例えば再生装置１０から送信されるＢＬＥビーコン信号を携帯端末３０が受信することで、当該再生装置１０が検出される。ユーザの指示等に応じて、検出された再生装置１０との間でＢＬＥ接続が確立される。これによりコンテンツの再生制御や電源制御等が可能となる。
【００５３】
なおＢＬＥ接続は、ペアリングとペアリングレスの接続との両方を含む。ペアリングが実行される場合には、携帯端末３０と再生装置１０との間で、パスキー認証等が実行される。
【００５４】
ＢＬ通信が利用される場合には、ペアリングの処理が必要となる。例えばユーザにより、再生装置１０がペアリングモードに設定され、携帯端末３０と再生装置１０との間で、ペアリング（ＢＬ接続）が確立される。これによりコンテンツの再生制御や電源制御等が可能となる。
【００５５】
グループ再生モードは、ホームネットワーク１に接続された複数の再生装置１０によりグループを構成し、当該グループにてコンテンツを再生するモードである。グループ再生モードとして、マルチルーム再生モード（同期再生モード）、サラウンド再生モード、及びステレオ再生モードの各々を設定することが可能である。
【００５６】
マルチルーム再生とは、グループ内の複数の再生装置１０により、同一のコンテンツを同期再生する再生方法である。例えば同一の部屋にある複数の再生装置１０から同一のコンテンツを再生させることで、部屋全体にて大音量で音楽を楽しむことができる。あるいは多くの友人を家に招いてパーティを開催する場合等において、各部屋に配置された再生装置１０から同一のコンテンツを再生させ、その動作を同時に制御することでパーティを盛り上げることができる。
【００５７】
例えばグループを構成する複数の再生装置１０が選択され、そのうちの１つがマスタ装置として設定される。そして他の再生装置１０が、スレーブ装置として設定される。マルチルーム再生が実行される際には、その指示がマスタ装置に送信される。マスタ装置は、再生対象となるコンテンツを取得し、スレーブ装置に同時にストリーミング配信する。これによりコンテンツのマルチルーム再生が実現される。
【００５８】
マスタ装置を選択する方法は限定されず、例えば、ネットワーク強度が高い再生装置１０や、グローバルネットワークに接続されている再生装置１０等がマスタ装置として設定される。またユーザが所望するコンテンツを再生するのに優位な再生装置１０がマスタ装置として選択される。もちろんユーザによりマスタ装置が指定されてもよい。
【００５９】
なおマスタ装置及びスレーブ装置は、親機及び子機と呼ばれる場合もある。またスレーブ装置は、プレーヤ機と呼ばれる場合もある。
【００６０】
マルチルーム再生により、コンテンツの同期再生のみならず、再生音量の制御やコンテンツの切り替え等も、互いに同期して実行可能である。一方で、再生位置は互いに同期させながらも、再生音量の制御やフェードイン／フェードアウト等の制御等は、各再生装置に対して個別に実行することも可能である。
【００６１】
マスタ装置及びスレーブ装置による同期再生を実現するための方法は限定されず、例えば同期再生等に関する任意の技術が用いられてよい。例えばクロック及びタイムスタンプにより同期をとり、これにバッファ処理を組み合わせることで同期再生は実行可能である。例えばＲＴＰ（Real-time Transport Protocol）及びＲＴＣＰ（RTP Control Protoco1）を組み合わせたフロー制御等が挙げられる。上記した特許文献１に記載の技術を利用することも可能である。
【００６２】
サラウンド再生は、３ｃｈ以上のマルチチャンネル再生に相当し、例えばホームシアターの５．１ｃｈ等が挙げられる。例えばグループを構成する複数の再生装置１０が選択され、各再生装置１０にチャンネルが設定される。例えば５．１ｃｈの場合には、フロント（前方左右）用、センター（前方中央）用、リア（後方左右）用、及びサブウーファ（超低音）用の、合計６つの再生装置１０が選択される。
【００６３】
各再生装置１０にチャンネルを割り当てる方法は限定されず、自動あるいは手動により実行される。なお単体の再生装置１０が複数のスピーカを備える場合には、当該再生装置１０に複数のチャンネルが割り当てられる場合もあり得る。従って、チャンネル数よりも少ない数の再生装置１０によりグループが構成される場合もある。
【００６４】
サラウンド再生モードの設定により実現可能なマルチチャンネル再生システムの構成は限定されない。例えば２．１ｃｈ〜７．１ｃｈ、その他の任意のチャンネル数のマルチチャンネル再生システムを構築することが可能である。
【００６５】
ステレオ再生では、ＬＲ（左右）の２ｃｈにてコンテンツが再生される。典型的には、２つの再生装置１０によりグループが構成され、各再生装置１０にＬＲのいずれかのチャンネルが設定される。チャンネルの設定方法は限定されず、また複数のスピーカを有する単体の再生装置１０により、ステレオ再生が実行される場合もあり得る。この場合でも、グループが構成されたものとして、本技術を適用することが可能である。
【００６６】
本実施形態では、マルチルーム再生と同様に、グループを構成する複数の再生装置１０の１つがマスタ装置として設定される。そしてマスタ装置により、スレーブ装置の再生動作が制御されることで、サラウンド再生又はステレオ再生が実行される。もちろん他の制御方法等が用いられてもよい。
【００６７】
［再生リスト］
図３は、本実施形態に係る再生リストの構成例を示す模式図である。図４は、携帯端末のタッチパネルに再生リストが表示された状態を示す模式図である。
【００６８】
携帯端末３０を使用するユーザにより、コンテンツ再生システム１００を利用するためのアプリケーションが起動される。そうすると携帯端末３０のタッチパネル３６に、本実施形態に係る再生用画像である再生リスト５０が表示される。再生リスト５０は、例えば上下にスクロール可能に表示される。
【００６９】
図３に示すように再生リスト５０は、第１の表示領域５１と、第２の表示領域５２と、第３の表示領域５３とを有する。第１の表示領域５１には、過去に選択された再生装置１０、及び当該再生装置１０の過去の選択時の再生モードを含む、履歴情報５５（５５ａ〜５５ｅ）が表示される。
【００７０】
本実施形態では、例えば履歴情報５５ｂ等に示すように、再生モードがシングル再生モードである再生装置１０の情報として、以下の情報が表示される。
再生モードの名称（「Single」）＋再生装置１０の名称（「A」）
シングル再生モードである旨を表すアイコン５６
接続状態（接続状態を表すマークのアクティブ表示の有無により表現）
接続状態を表すマークは、ホームネットワーク１を介した接続の場合は、ＷｉＦｉマーク５７ａが用いられ、ＢＬＥ接続又はＢＴ接続の場合は、Bluetooth（登録商標）マーク５７ｂが用いられる。
【００７１】
本実施形態では、再生装置の名称が、過去に選択された再生装置の情報に相当する。また再生モードの名称及びアイコン５６が、過去の選択時の再生モードの情報に相当する。なお「Single A」が履歴情報５５ｂの名称として扱われ、ユーザにより変更可能でもよい。この場合でも、アイコン５６により、シングル再生モードの履歴情報５５であることを把握することが可能である。
【００７２】
また履歴情報５５ａ等に示すように、再生モードがグループ再生モードである再生装置１０の情報として、以下の情報が表示される。なお下記のメンバーとは、グループを構成する再生装置１０のことである。
グループの名称（再生モードの名称＋メンバーの名称）
マルチルーム再生モードの場合は「Group」＋メンバーの名称
サラウンド再生モードの場合は「Surround」＋メンバーの名称
ステレオ再生モードの場合は「Stereo」＋メンバーの名称
グループ再生モードである旨を表すアイコン５８
マルチルーム再生モードの場合はアイコン５８ａ
サラウンド再生モードの場合はアイコン５８ｂ
ステレオ再生モードの場合はアイコン５８ｃ
接続状態（ＷｉＦｉマーク５７ａのアクティブ表示の有無により表現）
再生コンテンツの情報５９
【００７３】
本実施形態では、グループの名称内のメンバーの名称が、過去に選択された再生装置の情報に相当する。また再生モードの名称及びアイコン５８が、過去の選択時の再生モードの情報に相当する。なおグループの名称は、ユーザにより変更可能でもよい。少なくともアイコン５８により、グループ再生モード（マルチルーム再生モード、サラウンド再生モード、ステレオ再生モード）の履歴情報５５であることを把握することが可能である。また再生コンテンツの情報５９は、シングル再生モードの履歴情報５５にも表示されてもよい。
【００７４】
なおグループ再生モードの履歴情報５５は、そのグループを構成する再生装置１０の各々の履歴情報５５に相当する。例えば履歴情報５５ａは、過去に選択されてマルチルーム再生が実行された再生装置Ａ、Ｂ及びＣの各々の履歴情報５５に相当する。このように各々の履歴情報５５を、グループを基準としたグループ情報として表示することで、当該グループの再現等が容易にとなり操作性を向上することが可能となる。
【００７５】
履歴情報５５は、携帯端末３０を介して再生装置１０及びその再生モードが選択される度に生成され記憶される。履歴情報５５は、新しく選択された再生装置１０の履歴情報５５が、第１の表示領域５１の上方に表示される。そして新たに履歴情報５５が生成される度に、当該履歴情報５５が第１の表示領域５１の上方に順に追加される。
【００７６】
なお「選択された」とは、典型的には、携帯端末３０を利用するユーザにより選択されたという意味であり、ユーザごとに履歴情報５５が生成される。そのために例えばユーザの識別情報（ＩＤ）、又は携帯端末３０の識別情報（ＩＤ）等と関連付けられて、履歴情報５５が生成される。その他、ユーザごとの履歴情報５５を生成するための任意の方法が採用されてよい。なお本開示における「ユーザ」が１人の特定の人間である場合に限定される訳ではなく、携帯端末３０を共有する複数の人間が「ユーザ」となる場合もあり得る。
【００７７】
図３に示す例では、過去に再生装置Ｇ及びＨが選択されてステレオ再生が実行された。その後に、再生装置Ｄ、Ｅ及びＦが選択されてサラウンド再生が実行された。その後に、再生装置Ｉが選択されてシングル再生モードにてコンテンツが再生された。なおこの際には、ＢＬＥ通信又はＢＴ通信により、再生装置Ｉが制御されている。
【００７８】
その後に、再生装置Ａが選択されてシングル再生モードにてコンテンツが再生された。そして直近の操作として、再生装置Ａ、Ｂ及びＣが選択されてマルチルーム再生が実行されている。このマルチルーム再生が実行される際には、再生装置Ａの再生モードが、シングル再生モードからマルチルーム再生に切替えられている。
【００７９】
図３に示す例では、「Group ABC」の履歴情報５５ａの接続状態がアクティブ状態である。これは現在も、再生装置Ａ、Ｂ及びＣによりグループが構成され、マルチルーム再生が可能であることを意味する。すなわち再生装置Ａ、Ｂ及びＣが検出されており、各々が同一のグループである旨のマルチルーム再生モードに設定されている状態である。
【００８０】
一方、履歴情報５５ｂ〜５５ｅの接続状態は非アクティブ状態である。これは現在の状態として、各々の履歴情報５５に含まれる再生装置１０及びその再生モードにより、コンテンツを再生することが可能な状態ではないことを意味する。例えば履歴情報５５に含まれる再生装置１０が未検出や未接続である場合が考えられる。また履歴情報５５に含まれる再生モードと異なる再生モードに設定されている場合も考えられる。
【００８１】
図３に示す例では、「Group ABC」の履歴情報５５ａの接続状態がアクティブ状態であるので、再生装置Ａはマルチルーム再生モードである。従って、「Single A」の履歴情報５５ｂの接続状態は、非アクティブ状態となる。
【００８２】
本実施形態では、接続状態は、履歴情報５５に含まれる再生装置１０及びその再生モードの動作状態に相当する。本実施形態では、リスト生成部４６により、各履歴情報５５の接続状態が判定され、その判定結果に応じて表示態様が異なるように再生リスト５０が生成される。
【００８３】
上記したように、ＷｉＦｉマーク５７ａ又はBluetooth（登録商標）マーク５７ｂのアクティブ表示の有無が適宜制御される。また接続状態に応じて、履歴情報５５の背景色として、異なる色が表示される。例えば接続状態がアクティブ状態の場合には、背景色は白色となり、非アクティブ状態では、グレーとなる（グレーアウト）。もちろんこれに限定される訳ではない。
【００８４】
第２の表示領域５２には、携帯端末３０により検出された再生装置１０、及び当該再生装置１０の検出時の再生モードを含む、検出情報が表示される。特に本実施形態では、当該検出情報のうち、履歴情報５５に含まれない新規検出情報６０（６０ａ〜６０ｃ）が表示される。すなわち第２の表示領域５２には、携帯端末３０により検出された再生装置１０及びその再生モードのうち、過去に選択されたことがない再生装置１０及びその再生モードが表示される。
【００８５】
本実施形態では、新規検出情報６０として表示される情報は、履歴情報５５と同様である。すなわち再生モードがシングル再生モードである再生装置１０の情報として、再生モードの名称、シングル再生モードである旨を表すアイコン５６、及び接続状態が表示される。再生装置の名称が、検出された再生装置の情報に相当する。また再生モードの名称及びアイコン５６が、検出時の再生モードの情報に相当する。再生モードの名称が、ユーザにより変更可能であってもよい。
【００８６】
また再生モードがグループ再生モードである再生装置１０の情報として、グループの名称、グループ再生モードである旨を表すアイコン５８、接続状態、及び再生コンテンツの情報５９が表示される。グループの名称内のメンバーの名称が、検出された再生装置の情報に相当する。また再生モードの名称及びアイコン５８が、検出時の再生モードの情報に相当する。グループの名称が、ユーザにより変更可能であってもよい。
【００８７】
図３に示す例では、シングル再生モードの再生装置Ｇ、シングル再生モードの再生装置Ｆ、及びマルチルーム再生モードのグループ「Group DEJ」が検出され、新規検出情報６０として表示されている。例えば他のユーザが他の携帯端末等を用いて、マルチルーム再生モードのグループ「Group DEJ」を作成した場合や、再生装置Ｇ及びＦをシングル再生モードにて使用した場合が考えられる。あるいは新規に検出される再生装置１０についてはシングル再生モードが設定される場合には、再生装置Ｇ及びＦが新規にコンテンツ再生システム１００内に追加された場合も考えられる。
【００８８】
例えば履歴情報５５ｄに示すように、ユーザにより過去に再生装置Ｄ、Ｅ及びＦによりサラウンド再生モードのグループ「Surround DEF」が作成された。その後、他のユーザによりグループの変更等が行われ、マルチルーム再生モードのグループ「Group DEJ」が作成される。当該作成されたグループ「Group DEJ」が検出された、というような場合も考えられる。その他、種々のシチュエーションが考えられる。
【００８９】
新規検出情報６０は、現在検出される再生装置１０及びその再生モードの情報なので、接続状態は全てアクティブ状態である。なお本実施形態では、新しく生成される新規検出情報６０は、第２の表示領域５２の下方に順に追加される。
【００９０】
後に説明するように、第１及び第２の表示領域５１及び５２に表示される履歴情報５５及び新規検出情報６０が選択されると、選択された履歴情報５５及び新規検出情報６０に含まれる再生装置１０及びその再生モードによるコンテンツの再生が指示される。例えばアクティブ状態である履歴情報５５や新規検出情報６０が選択されると、現在実現されている各情報に対応する再生環境にて、コンテンツが再生される。非アクティブ状態の履歴情報５５が選択されると、対応する再生環境を構築するための処理（アクティブ状態とする処理）が実行され、成功した場合にはコンテンツが再生される。
【００９１】
図３に示すように、本実施形態では、再生リスト５０内において、履歴情報５５が表示される第１の表示領域５１が、新規検出情報６０が表示される第２の表示領域５２の上方に設定される。これによりユーザは、過去に選択した再生装置１０及びその再生モードを容易に選択することが可能となり、使用頻度の高い好みの再生環境を容易に再現することが可能となる。
【００９２】
特に、新しく選択された再生装置１０の履歴情報５５が、第１の表示領域５１の最も上方に順に追加されるので、使用する可能性が高い再生装置１０及びその再生モードを選択することが可能となる。この結果、最近のお気に入りの再生環境を容易に再現することが可能となり、非常に高い操作性を発揮することが可能となる。
【００９３】
一方で、新規検出情報６０を選択することで、新たな再生環境を容易に構築することも可能である。なお新規検出情報６０については、第２の表示領域５２の下方に順に追加される。従って、例えば好みではない再生環境に関する新規検出情報６０が第２の表示領域５２の上方にどんどん追加されて、再生リストへの操作を邪魔してしまうといったことを防止することができる。例えば選択操作する入力する際に、新規検出情報６０が不用意に移動してしまい、選択ミスをしてしまうことを防止することが可能となる。この結果、高い操作性が発揮される。
【００９４】
第３の表示領域５３には、ＢＬＥビーコン信号を受信することで検出された未接続の再生装置１０の検出情報６１が表示される。ここに表示される未接続の再生装置１０は、ＢＬＴ接続を確立するための、ユーザからの接続の指示を必要とする再生装置１０である。
【００９５】
未接続の再生装置１０の検出情報６１は、以下の情報を含む。
ＢＬＥビーコン信号により検出した旨のテキスト（「Single(BLE)」）
シングル再生モードである旨を表すアイコン５６
接続の指示が必要な旨のテキスト（「Need Setup」）
なお未接続の再生装置１０の検出情報６１は、新しく生成される度に、第３の表示領域５３の情報に順に追加される。
【００９６】
第３の表示領域５３に表示される検出情報６１が選択されると、ＢＬＴ接続を確立するための処理が実行される。ＢＬＴ接続が確立後、ＢＬＴ通信を介してコンテンツの再生が指示されと、履歴情報５５が生成され第１の表示領域５１に表示される。当該履歴情報５５の接続状態については、Bluetooth（登録商標）マーク５７ｂのアクティブ表示の有無、及び背景色が適宜制御される（履歴情報５５ｃ参照）。
【００９７】
なおＢＴ接続が確立される場合には、ユーザにより再生装置１０がペアリングモードに設定され、その後ペアリングが実行される。当該ペアリングは、コンテンツの再生を指示する際に行われることが多い。従ってＢＴ接続の確立とともに履歴情報５５が生成され、第１の表示領域５１に表示されることが多い。この結果、第２の表示領域５２に表示される新規検出情報６０は、ホームネットワーク１を介して検出される再生装置１０の情報である場合が多い。もちろんこれに限定されず、コンテンツ再生の指示が入力される前の、ＢＬＥ接続やＢＴ接続が確立した再生装置１０の新規検出情報６０が生成され、第２の表示領域５２に表示されてもよい。
【００９８】
再生リスト内において、第３の表示領域５３は、第１の表示領域５１の上方に設定される。近距離無線通信であるＢＬＥ通信のＢＬＥビーコン信号により、携帯端末３０を携帯するユーザに近接した再生装置１０が検出される。従って、検出される再生装置１０の数はそれほど多くないので、第１の表示領域５１が再生リスト５０の下方にずれてしまうことはない。
【００９９】
またコンテンツ再生システム１００を利用する際に、目の前に未接続の再生装置１０が存在する場合には、コンテンツの再生のために接続を所望する可能性は高いと考えられる。従って第３の表示領域５３を再生リスト５０の上方に設定することで、未接続の再生装置１０の発見、当該再生装置１０との接続の指示の入力が非常に容易となる。この結果、高い操作性が発揮される。
【０１００】
なお本実施形態では、第１〜第３の表示領域５１〜５３の各々が識別可能に表示される訳ではない。すなわち再生リスト５０内に、各表示領域の境界等が表示される訳ではない。従ってユーザにとって、例えば履歴情報５５や新規検出情報６０を区別して操作を入力するといったことは必要なく、自然と使用頻度の高い履歴情報５５を中心に、再生リスト５０を操作することが可能となる。すなわちシンプルに所望とする再生環境を構築するための操作を入力することが可能であり、高い操作性が発揮される。もちろん各表示領域を識別可能に再生リスト５０が生成されてもよい。
【０１０１】
再生リスト５０を、再生環境に関する一覧として見なすことも可能である。すなわち履歴情報５５及び新規検出情報６０は、ともに再生環境を実現するための情報として見なすことができる。以下、履歴情報５５及び新規検出情報６０を、再生環境情報として包括的に記載して説明する場合がある。
【０１０２】
図５は、再生リスト５０の作成例の概要を示すフローチャートである。本技術に係るアプリケーションが起動すると、履歴情報取得部４５により、履歴情報５５が取得される（ステップ１０１）。本実施形態では、履歴情報５５は、携帯端末３０のＲＯＭ３２等により構成される記憶部から読み出される。履歴情報取得部４５は、第２の取得部に相当する。
【０１０３】
装置検出部４３により、ホームネットワーク１上の再生装置１０、及びＢＬＥビーコン信号を送信する未接続の再生装置１０が検出される（ステップ１０２）。リスト生成部４６により、履歴情報５５、新規検出情報６０、及び未接続の再生装置１０の検出情報６１を含む、再生リスト５０が生成される（ステップ１０３）。
【０１０４】
図６は、ホームネットワーク１上の再生装置１０の検出から再生リスト５０の作成までの処理例を示すフローチャートである。まず装置検出部４３により、ホームネットワーク１上の再生装置１０が検出される（ステップ２０１）。
【０１０５】
例えばネットワークモジュール４１を介して、デバイス検索メッセージがマルチキャストで送信される。ホームネットワーク１に接続された再生装置１０により、デバイス検索メッセージに応じて、デバイス応答メッセージが返される。これにより再生装置１０を検出することが可能である。他の検出方法が用いられてもよい。
【０１０６】
再生モード取得部４４により、検出された再生装置１０の再生モードが取得される。例えばHTTP GET等のメソッドを用いて生成された要求メッセージを用いて、再生装置１０の再生モードを含む装置情報の要求が送信される。当該要求に応じて再生装置１０から送信された装置情報を受け取ることで、各再生装置１０の再生モードを取得することができる。再生モード取得部４４は、第１の取得部に相当する。
【０１０７】
リスト生成部４６により、検出された再生装置１０に関する検出情報が生成される（ステップ２０３）。そして検出情報が、履歴情報５５に含まれるか否かが判定される（ステップ２０４）。検出情報が履歴情報５５に含まれない新規検出情報６０である場合には（ステップ２０４のＮｏ）、第２の表示領域５２に新規検出情報６０が追加される（ステップ２０５）。
【０１０８】
検出情報が履歴情報５５に含まれる場合には（ステップ２０４のＹｅｓ）、第１の表示領域５１に表示されている、検出情報に対応する履歴情報５５のネットワークステータス（接続状態）がアクティブに設定される（ステップ２０６）。これにより再生リスト５０を生成することが可能である。もちろんこの方法に限定される訳ではない。
【０１０９】
再生リスト５０に対する操作例を説明する。再生リスト５０内の再生環境情報（履歴情報５５及び新規検出情報６０）が選択されると、再生制御部４７により、再生環境情報に含まれる再生装置１０及びその再生モードによるコンテンツの再生が指示される。
【０１１０】
図７は、グループ再生モードの再生環境情報が選択された場合の処理例を示すフローチャートである。図８〜図１０は、当該処理内にて表示される画面（画像）の一例を示す模式図である。当該画面は、例えばリスト生成部４６により生成されてもよいし、他の画像生成ブロックにより生成されてもよい。
【０１１１】
再生環境情報が選択されると（ステップ３０１）、図８に示す待機画面７０が表示される。待機画面７０には、選択された再生環境情報（この例では履歴情報５５ａ）と、コンテンツの再生を制御するための操作用ＧＵＩ７１とが表示される。画面中央は操作情報の表示領域７２となっており、そこには処理中であることを表すマーク７３が表示される。
【０１１２】
待機画面７０が表示されている間に、選択された再生環境情報のネットワークステイタスが判定される（ステップ３０２）。ネットワークステイタスがアクティブ状態の場合（ステップ３０２のＹｅｓ）、図９に示すダッシュボード画面７５が表示される（ステップ３０３）。例えばアクティブ状態の履歴情報５５や新規検出情報６０が選択された場合が相当する。
【０１１３】
ダッシュボード画面７５は、選択された再生環境情報に関する再生環境の準備が完了した場合に表示される画面である。従ってネットワークステイタスがアクティブ状態である場合には、速やかにダッシュボード画面７５に移動する（待機画面７０が表示されない場合もあり得る）。
【０１１４】
ダッシュボード画面７５の表示領域７２には、準備が完了した再生環境にて再生可能なコンテンツの種類を表すアイコン７６が表示される。図９に示す例では、再生装置Ａ、Ｂ及びＣによるマルチルーム再生が可能なコンテンツのアイコン７６が表示される。ユーザはダッシュボード画面７５の表示を確認することで、再生環境が実現したことを把握することが可能である。
【０１１５】
なおユーザの操作に応じて、表示領域７２に、種々の情報が表示される。例えば再生可能なコンテンツのリスト、再生中のコンテンツの情報、各種設定を実行するためＧＵＩ等が表示される。例えば音質設定、ＥＱ（イコライザ）設定、タイマー設定、その他の設定等を行うためのＧＵＩ等が挙げられる。
【０１１６】
ネットワークステイタスが非アクティブ状態の場合（ステップ３０２のＮｏ）、グループを構成する全ての再生装置１０が検出されているか否かが判定される（ステップ３０４）。未検出の再生装置１０が存在する場合には（ステップ３０４のＮｏ）、その再生装置１０に、電源ＯＮパケット（ＷＯＬパケット）が送信される（ステップ３０５）。
【０１１７】
電源ＯＮパケットの送信後、所定の時間内に全ての再生装置１０が検出されたか否かが判定される（ステップ３０６）。未検出の再生装置１０が存在する場合には（ステップ３０６のＮｏ）、図１０に示すエラー画面７７が表示される。エラー画面７７の表示領域７２には、エラーダイアログ７８が表示される（ステップ３０７）。エラー画面７７が表示されると、選択された再生環境情報に対応する再生環境が構築されることなく処理が終了する。
【０１１８】
なお未検出の再生装置１０を検出可能とする処理として、電源ＯＮパケットの送信に限定されず、他の処理が実行されてもよい。
【０１１９】
ステップ３０４又は３０６にて全ての再生装置１０が検出された場合には、Ｙｅｓに進み、他のグループに所属する再生装置１０が存在するか否かが判定される（ステップ３０８）。他のグループに所属するとは、典型的には、再生環境情報に含まれていない他の再生装置１０とグループを構成している場合である。その他、他のグループ再生モードが設定されている場合も含まれる。
【０１２０】
他のグループに所属する再生装置１０が存在しない場合（ステップ３０８のＮｏ）、検出された全ての再生装置１０により、再生環境情報に含まれるグループ再生モードのグループが作成される（ステップ３０９）。例えば上記したように、マスタ装置及びスレーブ装置が設定され、マスタ装置を中心にグループが構成される。
【０１２１】
他のグループに所属する再生装置１０が存在する場合（ステップ３０８のＹｅｓ）、その他のグループを解散させて、全ての再生装置１０がシングル再生モードになるまで待機する（ステップ３１０）。グループの解散は、例えばそのグループのマスタ装置にグループ解散要求を送信することで実現される。グループの解散が完了すると、各再生装置１０の再生モードは、シングル再生モードに設定される。
【０１２２】
全ての再生装置１０がシングル再生モードとなると、選択された再生環境情報に含まれるグループ再生モードのグループが作成される（ステップ３０９）。グループの作成が成功した場合には（ステップ３１１のＹｅｓ）、図９に示すダッシュボード画面７５が表示される（ステップ３０３）。一方、グループの作成が失敗した場合には（ステップ３１１Ｎｏ）、図１０に示すエラー画面７７が表示される（ステップ３０７）。グループ作成の成功／失敗は、例えばマスタ装置からの通知等に基づいて実行される。
【０１２３】
新規検出情報６０が選択されてダッシュボード画面７５が表示された場合には、当該新規検出情報６０は履歴情報５５として登録され、第１の表示領域５１に追加される。履歴情報５５が選択されてダッシュボード画面７５が表示された場合には、第１の表示領域５１での表示位置が最上方に移動する。履歴情報５５の第１の表示領域５１内の移動を規制するモード等が設定可能でもよい。
【０１２４】
なおシングル再生モードの再生環境情報が選択された場合には、再生環境情報に含まれる再生装置１０のネットワークステイタスが判定され、非アクティブ状態の場合は電源ＯＮパケットが送信される。所定の時間が経過しても再生装置１０が未検出の場合には、エラー画面７７が表示される。
【０１２５】
ネットワークステイタスがアクティブ状態の場合には、シングル再生モードであるか否かが判定され、Ｙｅｓの場合は、ダッシュボード画面７５が表示される。グループ再生モードである場合には、そのグループを解散させ、シングル再生モードになるのを待つ。シングル再生モードになれば、ダッシュボード画面７５が表示される。
【０１２６】
図１１は、グループ情報表示ダイアログ７９の一例を示す模式図である。グループ再生モードの再生環境情報内に表示された、装置表示ボタン（「See All」）が選択されると、グループを構成する各再生装置１０の情報を含むグループ情報表示ダイアログ７９が表示される。図１１に示す例では、各再生装置１０の名称が表示され、当該名称を選択することで、各再生装置１０に関する詳細画面に遷移する。グループ情報表示ダイアログ７９の具体的な構成や、表示される情報等については、適宜設定されてよい。
【０１２７】
図１２は、履歴情報５５の登録処理例を示すフローチャートである。上記したように、ユーザにより再生装置１０及びその再生モードが選択されるたびに履歴情報５５が生成されて記憶部に登録される。その登録例として、図１２に示すような、グループ名称に基づいた処理が実行されてもよい。
【０１２８】
例えばグループ作成用のＧＵＩ等を介して、グループが作成される（ステップ４０１）。グループが作成されると、例えばデフォルトのグループ名称が生成される、あるいはユーザによりグループ名称が入力される。
【０１２９】
また新規に検出されたグループが選択される、すなわちグループ再生モードの新規検出情報６０が選択される（ステップ４０２）。この場合、グループ名称は新規検出情報６０内に含まれている。
【０１３０】
グループのメンバーが変更される（ステップ４０３）。例えば再生リスト５０内のグルーム再生モードの再生環境情報が選択された後に、所定のメンバー変更ボタン等が選択されることで、メンバーの変更が実行される。ユーザによるメンバー変更の操作に応じて、グループへの追加やグループからの離脱等の要求が、マスタ装置に送信される。なおグループ名称は、選択された再生環境情報に含まれている。
【０１３１】
ユーザによりグループ名が変更される（ステップ４０４）。例えば例えば再生リスト５０内のグルーム再生モードの再生環境情報が選択された後に、グループ名称の変更操作が入力される。その方法や用いられるＧＵＩ等は限定されない。
【０１３２】
ステップ４０１〜４０４が実行された場合、記憶部に登録されている履歴情報５５の中に同じグループ名称の履歴情報５５が存在するか否かが判定される（ステップ４０５）。同じグループ名称の履歴情報５５が存在する場合には（ステップ４０５のＹｅｓ）、履歴情報５５が上書きされる（ステップ４０６）。
【０１３３】
このように履歴情報５５の上書きが実行されてもよい。これにより再生装置１０の配置を変更した場合や、古い再生装置１０を廃棄して新しい再生装置１０を配置した場合等において、この先再現する必要のない再生環境に関する履歴情報５５を更新するといったことが可能となる。なお上書きを実行するか否かをユーザに問い合わせるダイアログ等が表示されてもよい。
【０１３４】
同じグループ名の履歴情報５５が存在しない場合には（ステップ４０５のＮｏ）、登録済みの履歴情報５５の数が最大であるか否かが判定される（ステップ４０７）。登録可能な最大数は限定されず適宜設定されてよい。
【０１３５】
登録済みの履歴情報５５の数が最大である場合（ステップ４０８のＹｅｓ）、最も古い履歴情報５５が削除される（ステップ４０９）。そしてステップ４１０〜４０４の操作に応じて生成／変更された再生環境情報が、最新の履歴情報５５として登録される（ステップ４１０）。登録済みの履歴情報５５の数が最大ではない場合は（ステップ４０８のＮｏ）、最も古い履歴情報５５の削除を実行することなく、最新の履歴情報５５が登録される（ステップ４１０）。
【０１３６】
このように登録可能な履歴情報５５の最大数が設定されもよい。これにより長らく使用されていない再生環境に対応する再生環境情報を削除することが可能となり、また必要なメモリ容量を低減することが可能となる。なおユーザが再生リスト５０から所望の履歴情報５５を選択して削除することも可能である。
【０１３７】
再生モードごとに登録可能な履歴情報５５の最大数が設定されてもよい。例えばシングル再生モードの登録可能数と、グループ再生モードの登録可能数がそれぞれ設定されてもよい。そして再生モードごとに履歴情報の更新（古い履歴情報の削除等）が実行されてもよい。また各グループ再生モード（マルチルーム再生モード、サラウンド再生モード、ステレオ再生モード）ごとに登録可能数が設定されてもよい。
【０１３８】
以上、本実施形態に係るコンテンツ再生システム１００では、携帯端末３０により検出された再生装置１０及びその再生モードを含む検出情報（新規検出情報６０）と、過去に選択された再生装置１０及びその時の再生モードを含む履歴情報５５とを含む再生リスト５０が生成される。これにより例えば表示される履歴情報５５を用いて過去の再生環境を容易に再現すること等が可能となる。この結果、再生装置１０を操作性よく制御することが可能となる。
【０１３９】
検出された再生装置やそのグループのみを表示する場合について考察する。この場合、未検出の再生装置（電源ＯＦＦあるいはスタンバイ状態の再生装置）、及びその再生装置が所属するグループの情報が表示されない。従ってよく利用するグループの再生装置が未検出な場合等においては、そのよく利用するグループによるコンテンツの再生を実現することが難しい。例えばそのグループが表示されない原因を自分で探し出し、未検出の再生装置の電源をＯＮにするといった操作により、グループを検出可能な状態にする必要がある。その後、グループが検出されてリストに表示されて始めて、コンテンツの再生が可能となる。
【０１４０】
また他のユーザによりグループの変更等が行われたことにより、よく利用するグループが存在しなくなる場合等においても同様である。すなわち当該グループが表示されない原意を考えて、変更されたグループを再度構築し直すといったことが必要となる。
【０１４１】
これに対して、本コンテンツ再生システム１００では、再生リスト５０に、よく利用するグループの履歴情報５５が表示される。当該履歴情報５５は、ネットワークステイタスにかかわらず、すなわち現在そのグループが存在するか否か、あるいは所属する再生装置１０がアクティブ状態であるか否かにかかわらず表示される。従ってユーザは、再生リスト５０からよく利用するグループの履歴情報５５をワンタップで選択するだけで、当該グループによるコンテンツの再生を容易に実現することが可能となる。この結果、非常に高い操作性を発揮することが可能となる。
【０１４２】
＜その他の実施形態＞
本技術は、以上説明した実施形態に限定されず、他の種々の実施形態を実現することができる。
【０１４３】
上記では、携帯端末の記憶部に履歴情報が登録される場合を説明した。これに限定されず、ユーザにより選択された再生装置のメモリ等に、選択された時の再生モードを含む履歴情報が記憶されてもよい。そして携帯端末により、検出された再生装置に対して履歴情報が要求され、それに応答して履歴情報が返されてもよい。すなわち携帯端末の履歴情報取得部により、検出された再生装置から履歴情報が取得されてもよい。これにより必要なメモリ容量の低減を図ることが可能となり、また履歴情報を精度よく取得することが可能となる。
【０１４４】
携帯端末及び再生装置のいずれにも履歴情報が記憶され場合、再生リストの第１の表示領域に、携帯端末により記憶された履歴情報が表示される第４の表示領域と、再生装置から取得された履歴情報が表示される第５の表示領域とがそれぞれ設定されてもよい。すなわち携帯端末により記憶された履歴情報と、再生装置から取得された履歴情報とが異なる位置に表示されてもよい。例えば携帯端末が記憶する場合、及び再生装置が記憶する場合を規定する条件等を定めることで、その条件に則った履歴情報の表示が実現する。この結果、高い操作性を発揮させることが可能となる。
【０１４５】
再生リストに対して入力可能な操作の種類は限定されない。上記したようなグループの新規作成、グループの解散、グループメンバーの変更、再生情報の削除等、任意の操作が可能である。
【０１４６】
再生リスト内の再生環境情報の表示順、すなわち第１の表示領域における履歴情報の表示順（追加順）や、第２の表示領域における検出情報の表示順（追加順）は、任意に設定されてよい。また当該表示分が、ユーザにより適宜変更可能であってもよい。
【０１４７】
上記では、本技術に係る操作用画像として再生リストが表示された。これに限定されず、他の任意の操作用ＧＵＩが、操作用画像として表示されてもよい。またグループ再生モード（マルチルーム再生モード、サラウンド再生モード、ステレオ再生モード）のみの履歴情報及び検出情報を含むグループ再生リストが、操作用画像として表示されてもよい。
【０１４８】
上記では、再生装置を制御するための通信例として、ネットワーク通信、ＢＬＥ通信、及びＢＴ通信を例に挙げて説明した。これらの通信に限定されず、任意の通信方法に対して、本技術は適用可能である。例えばネットワーク通信とは異なる近距離無線通信等により、グループ再生モードが構築されてもよい。
【０１４９】
上記ではユーザにより操作される携帯端末等のコンピュータにより、本技術に係る情報処理方法が実行される場合を説明した。しかしながらユーザが操作するコンピュータとネットワーク等を介して通信可能な他のコンピュータとにより、本技術に係る情報処理方法、及びプログラムが実行されてもよい。またユーザが操作するコンピュータと、他のコンピュータとが連動して、本技術に係るコンテンツ再生システムが構築されてもよい。
【０１５０】
すなわち本技術に係る情報処理方法、及びプログラムは、単体のコンピュータにより構成されたコンピュータシステムのみならず、複数のコンピュータが連動して動作するコンピュータシステムにおいても実行可能である。なお本開示において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれもシステムである。
【０１５１】
コンピュータシステムによる本技術に係る情報処理方法、及びプログラムの実行は、例えば履歴情報の取得や操作用画像の生成等が、単体のコンピュータにより実行される場合、及び各処理が異なるコンピュータにより実行される場合の両方を含む。また所定のコンピュータによる各処理の実行は、当該処理の一部または全部を他のコンピュータに実行させその結果を取得することを含む。
【０１５２】
すなわち本技術に係る情報処理方法及びプログラムは、１つの機能をネットワークを介して複数の装置で分担、共同して処理するクラウドコンピューティングの構成にも適用することが可能である。
【０１５３】
以上説明した本技術に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【０１５４】
なお、本技術は以下のような構成も採ることができる。
（１）再生装置を検出する検出部と、
前記検出された再生装置の再生モードを取得する第１の取得部と、
過去に選択された再生装置及び当該再生装置の過去の選択時の再生モードを含む履歴情報を取得する第２の取得部と、
前記検出された再生装置及び当該再生装置の検出時の再生モードを含む検出情報、及び前記取得された履歴情報を含む操作用画像を生成する生成部と
を具備する情報処理装置。
（２）（１）に記載の情報処理装置であって、
前記再生モードは、シングル再生モード、及びグループ再生モードを含む
情報処理装置。
（３）（２）に記載の情報処理装置であって、
前記履歴情報及び検出情報の各々は、前記再生モードが前記シングル再生モードである前記再生装置の情報として、前記再生装置の名称、及び前記シングル再生モードである旨を表すアイコンの少なくとも１つを含む
情報処理装置。
（４）（２）又は（３）に記載の情報処理装置であって、
前記履歴情報及び検出情報の各々は、前記再生モードが前記グループ再生モードである前記再生装置の情報として、前記再生装置を含むグループの名称、及び前記グループ再生モードである旨を表すアイコンの少なくとも１つを含む
情報処理装置。
（５）（２）から（４）のうちいずれか１つに記載の情報処理装置であって、
前記グループ再生モードは、同期再生モード、サラウンド再生モード、及びステレオ再生モードを含む
情報処理装置。
（６）（１）から（５）のうちいずれか１つに記載の情報処理装置であって、
前記操作用画像は、前記履歴情報が表示される第１の表示領域と、前記検出情報のうち前記履歴情報に含まれない新規検出情報が表示される第２の表示領域とを含む
情報処理装置。
（７）（６）に記載の情報処理装置であって、
前記操作用画像は、リストであり、
前記第１の表示領域は、前記第２の表示領域よりも上に設定される
情報処理装置。
（８）（６）又は（７）に記載の情報処理装置であって、
前記検出部は、ユーザからの接続の指示を必要とする未接続の再生装置を検出し、
前記リストは、前記未接続の再生装置の情報が表示される第３の表示領域を含む
情報処理装置。
（９）（８）に記載の情報処理装置であって、
前記検出部は、近距離無線通信を介して前記未接続の再生装置を検出する
情報処理装置。
（１０）（８）又は（９）に記載の情報処理装置であって、
前記第３の表示領域は、前記第１の表示領域よりも上に設定される
情報処理装置。
（１１）（１）から（１０）のうちいずれか１つに記載の情報処理装置であって、
前記生成部は、前記履歴情報に含まれる前記再生装置及びその再生モードの動作状態を判定し、当該判定結果に応じて表示態様が異なるように前記操作用画像を生成する
情報処理装置。
（１２）（１）から（１１）のうちいずれか１つに記載の情報処理装置であって、さらに、
前記操作用画像に含まれる前記再生装置及びその再生モードによるコンテンツの再生を指示する再生制御部を具備する
情報処理装置。
（１３）（１）から（１２）のうちいずれか１つに記載の情報処理装置であって、
前記第２の取得部は、前記検出された再生装置から前記履歴情報を取得する
情報処理装置。
【符号の説明】
【０１５５】
１…ホームネットワーク
１０…再生装置
３０…携帯端末
４３…装置検出部
４４…再生モード取得部
４５…履歴情報取得部
４６…リスト生成部
４７…再生制御部
５０…再生リスト
５１…第１の表示領域
５２…第２の表示領域
５３…第３の表示領域
５５…履歴情報
５６…シングル再生モードである旨を表すアイコン
５８…グループ再生モードである旨を表すアイコン
６０…新規検出情報
６１…検出情報
７０…待機画面
７５…ダッシュボード画面
７７…エラー画面
１００…コンテンツ再生システム
【図１】
2018096849.tif 000003
【図２】
2018096849.tif 000004
【図３】
2018096849.tif 000005
【図４】
2018096849.tif 000006
【図５】
2018096849.tif 000007
【図６】
2018096849.tif 000008
【図７】
2018096849.tif 000009
【図８】
2018096849.tif 000010
【図９】
2018096849.tif 000011
【図１０】
2018096849.tif 000012
【図１１】
2018096849.tif 000013
【図１２】
2018096849.tif 000014
【国際調査報告】
2018096849.tif 000015
2018096849.tif 000016